(57)【要約】【課題】不審者との間に安全と考えられる十分な距離をおいて発射して仮にカプセルが不審者に当たらなくても不審者の行動を規制することができる不審者行動規制装置を提供すること。【解決手段】不審者行動規制装置は、銃把１０、カプセル発射機構２０、カプセル押出機構３０、電源４０、タイヤ駆動部５０、及びカプセル６０からなる。電源を入れて、タイヤ２５を回転させる。つぎに、引金３１を押してカプセル６０を一対のタイヤ２５間のすき間に押し出すと、カプセル６０は一対のタイヤ２５に圧迫されて破壊され、カプセル６０に内包される刺激物がカプセル６０の回りに飛散するとともに、回転しているタイヤ２５が凹んでカプセル６０を発射する。【選択図】図１
2006292200.tif 000002
【特許請求の範囲】
【請求項１】
刺激物を内包するカプセルと、
回転軸が平行で逆回転し、前記カプセルの直径よりも狭い間隔を空けて配置される一対のタイヤと、
前記カプセルを前記一対のタイヤの間に押し出す押出機構と
を備えることを特徴とする不審者行動規制装置。
【請求項２】
前記カプセルは、少なくとも２つの部材からなり、その２つの部材の一方は他方よりも硬質でかつ破壊されやすいことを特徴とする請求項１記載の不審者行動規制装置。
【請求項３】
前記タイヤは、外周に変形自在のネットが埋め込まれている環状の弾性部材を有することを特徴とする請求項１記載の不審者行動規制装置。
【請求項４】
前記タイヤは、内周に硬質のリングが埋め込まれている環状の弾性部材を有することを特徴とする請求項１記載の不審者行動規制装置。
【請求項５】
前記タイヤを回転させる一対のモータは互いに直列に接続されていることを特徴とする請求項１記載の不審者行動規制装置。
【発明の詳細な説明】
【技術分野】
【０００１】
本発明は、学校などへの違法な侵入者、銀行強盗などの凶暴性のある不審者の行動を規制するために、刺激物を内包するカプセルをその不審者に発射する不審者行動規制装置に関する。
【背景技術】
【０００２】
近年、学校に違法な侵入者が入る凶暴な犯罪の例が増えてきて、社会問題となっている。これに対して学校側のとる対抗策として、
(1).監視カメラを設置する。
(2).警備会社と契約する。
(3).警備員をおく。
(4).さすまた等の用具をそろえる。
などが検討され、実施されつつある。
【０００３】
しかし、いずれも安心することができる十分な策とは考えられていない。
【０００４】
このような状況にあって、ボンベから圧縮空気を噴出させて発臭剤を充填したボールを発射する発射銃が提案されている（例えば、特許文献１参照）。
【０００５】
また、モータで機械的にバネを収縮させて開放する電動ガンも知られている。
【特許文献１】特開２０００−１８９９１号公報
【発明の開示】
【発明が解決しようとする課題】
【０００６】
しかしながらこのような従来の発射装置にあっては、ボールが不審者に当たって破裂することを想定しているため、遠くから発射してボールが不審者に当たらなかった場合には効果がないし、近くまで近寄って発射するのには危険が伴う問題がある。
【０００７】
本発明は、上記問題点に鑑み、不審者との間に安全と考えられる十分な距離をおいて発射して仮にカプセルが不審者に当たらなくても不審者の行動を規制することができる不審者行動規制装置を提供することを目的とする。
【課題を解決するための手段】
【０００８】
本発明の不審者行動規制装置は、刺激物を内包するカプセルと、回転軸が平行で逆回転し、前記カプセルの直径よりも狭い間隔を空けて配置される一対のタイヤと、前記カプセルを前記一対のタイヤの間に押し出す押出機構とを備えることを特徴とする。
【０００９】
前記カプセルは、少なくとも２つの部材からなり、その２つの部材の一方は他方よりも硬質でかつ破壊されやすいことで、発射と同時にカプセルが確実に破壊され内包される刺激物が飛散しながら不審者に向けて飛んでいく。
【００１０】
前記タイヤは、外周に変形自在のネットが埋め込まれている環状の弾性部材を有することで、タイヤが高速回転しても弾性部材が膨張してしまうことがない。
【００１１】
前記タイヤは、内周に硬質のリングが埋め込まれている環状の弾性部材を有することで、タイヤが高速回転しても弾性部材を内側に接着している接着剤がはがれてしまうことがない。
【００１２】
前記タイヤを回転させる一対のモータは互いに直列に接続されていることで、一対のモータに流れる電流を同じにして同じ回転数を得ることができる。
【発明の効果】
【００１３】
本発明によれば、不審者との間に安全と考えられる十分な距離をおいて発射して仮にカプセルが不審者に当たらなくても不審者の行動を規制することができる。
【発明を実施するための最良の形態】
【００１４】
以下、添付図面を参照しながら本発明を実施するための最良の形態について詳細に説明する。
【実施例】
【００１５】
図１は、本発明の一実施例による不審者行動規制装置の構造を示す正面図である。図２は、その左側面図である。本実施例の不審者行動規制装置は、銃把１０、カプセル発射機構２０、カプセル押出機構３０、電源４０、タイヤ駆動部５０、及びカプセル６０からなる。銃把１０は、蓋部１１、バネ１２、カプセル送り部材１３、回転軸１４、及びネジ１５を有し、通常の拳銃でいう弾倉を兼ねている。銃把の基本的な外形部分はプラスチック製である。蓋部１１は、ネジ１５で留められていて、ネジ１５を外すと回転軸１４で回転して開けることができ（丁番と同じ機構）、ここからカプセル６０を装填する。バネ１２は、カプセル送り部材１３を押し上げていて、カプセル６０が発射されると次のカプセルを押し上げて送り出す。カプセル発射機構２０は、底板２１、天板２２、下エントランス２３、上エントランス２４、一対のタイヤ２５、及びタイヤカバー２６を有する。底板２１及び天板２２の上下方向内側にあり、円弧形状の下エントランス２３及び上エントランス２４によってカプセル６０が目標方向に飛び出すように案内する。一対のタイヤ２５によってカプセル６０が飛び出すように駆動する。一対のタイヤ２５の間の間隔はカプセル６０の直径よりも狭くしてカプセル６０が一対のタイヤ２５から受ける駆動力が大きくなるようにしている。タイヤカバー２６によって銃把１０を握る手がタイヤ２５に直接触れることがないようにタイヤ２５をカバーしている。
【００１６】
図３は、本実施例の不審者行動規制装置に用いるタイヤの構成を示す図であり、図３(a)は、その上面図、図３(b)は、その一部側断面図である。タイヤ２５は、ホイール７１、内側弾性部材７２、リング７３、中部弾性部材７４、外側弾性部材７５、及び上下弾性部材７６からなる。ホイール７１は、中央に回転軸を挿入固定する穴７１ａが空いている硬質のプラスチック製である。内側弾性部材７２、外側弾性部材７５、及び上下弾性部材７６は、硬め（ショア硬さ約５０度）のゴム状弾性体からなる。内側弾性部材７２及び外側弾性部材７５の中にはナイロン製の糸からなるネットを埋め込んで、伸びる変形をほとんどしないようにしている。リング７３は、硬質のプラスチック製であって円筒形をしており、８方に穴７３ａが空けられていて、内側弾性部材７２の外側にはめられている。中部弾性部材７４は、柔らかめ（ショア硬さ約１５度）のゴム状弾性体からなり、リング７３に、及び穴７３ａを介して内側弾性部材７２に接着される。この中部弾性部材７４が柔らかめの弾性体であることによって、高速回転する一対のタイヤ２５の間にカプセル６０が挿入されると、瞬間的にカプセル６０を部分的に破壊すると同時にカプセル６０を前方に発射することができる。この際、内側弾性部材７２内のナイロン製のネット及び硬質のリング７３は、高速回転する中部弾性部材７４が遠心力でホイール７１との接着がはがれて遊離してしまうことを妨げる働きをする。また、外側弾性部材７５内のナイロン製のネットは、高速回転する中部弾性部材７４が遠心力で広がってしまうことを妨げる働きをする。外側弾性部材７５内のネットは変形自在のものであるので、カプセル６０を発射する際に中部弾性部材７４及び外側弾性部材７５が凹むのに支障はない。
【００１７】
カプセル押出機構３０は、引金３１、ロッド３２、磁石３３、鉄片３４、及びバネ３５からなる。引金３１は、プラスチック製でありロッド３２に固着され、前に押すことでロッド３２を前に押してカプセル６０を一対のタイヤ２５の間のすき間に押し出す。ロッド３２は、やはりプラスチック製であり、後ろには鉄片３４が固着されている。磁石３３は、本不審者行動規制装置の内壁に固着されていて、通常は鉄片３４と引き合ってロッド３２を固定している。バネ３５は、ロッド３２を後ろに押し下げていて、このバネ３５及び磁石３３と鉄片３４が引き合っている力に抗して引金３１を前に強く押すと、２つの磁石が僅かに離れた瞬間に磁石の引力が急激に小さくなってロッド３２は勢いよく前に押し出されることになる。引金３１から指を離すとバネ３５の反発力で引金３１は元の位置に戻され、再び磁石３３の引力で引金３１及びロッド３２は元の位置で固定される。この時、次のカプセル６０が発射可能な位置に送り出される。
【００１８】
電源４０には電池を用いる。ここでは、４つの９Ｖの電池を直列及び並列に接続して使う。
【００１９】
タイヤ駆動部５０は、一対のモータ５１、モータホルダ５２、回転軸５３、電源コード５４、及び基体５５からなる。モータ５１として直流モータを逆極性に直列に接続して使う。これによって一対のモータ５１には同じ電流が流れ、同じ回転数が得られることになる。モータホルダ５２の外側は二股にカットされ下半分は切り欠いた形状にして、バネ状に柔軟性を有する機構でモータ５１を保持している。この機構によってモータ５１と共にタイヤ２５は両外側に広がり、かつ可逆的に戻ることができる。回転軸５３はタイヤ２５の穴７１ａに挿入してタイヤを固定する。電源コード５４は、モータ５１を逆極性に直列に電源４０に接続する。基体５５は、本不審者行動規制装置の骨格の一部であり、モータホルダ５２を支える。
【００２０】
図４は、本実施例の不審者行動規制装置に用いるカプセルの構成を示す正面図である。カプセル６０は、胴体６１、底部６２、及び先頭部６３からなる。胴体６１は、硬質ポリ塩化ビニル製であり、円筒形である。底部６２は、白色のポリウレタン製であり、胴体６１と接着されている。先頭部６３は、白色のロー製であり、半球形状をしていて、カプセル６０に刺激物８０を充填した後に先頭部６３のロー自体によって胴体６１に熱接着される。先頭部６３は、胴体６１よりも更に硬質であり破壊されやすく、かつ胴体６１とはロー接着であるのではがれやすくしてある。底部６２は、比較的丈夫にできていて、ロッド３２によってカプセル６０が押し出されるだけでは簡単に破壊されないようにしている。刺激物８０としては、生命に危険を及ぼさない程度の刺激がある粉末及び／又は液体を使う。これには、コショウ又はカラシなどが好適である。
【００２１】
本実施例の不審者行動規制装置を実際に使う際には、まず、電源を入れて、タイヤ２５を回転させる。回転数は２０，０００ｒｐｍ程度であり、回転音が大きく聞こえて、これだけで、威嚇音になる。つぎに、引金３１を押してカプセル６０を一対のタイヤ２５間のすき間に押し出すと、カプセル６０は一対のタイヤ２５に圧迫されて胴体６１が変形して先頭部６３がはがれると共に破壊され、回転しているタイヤ２５が凹んでカプセル６０を発射する。このため、刺激物８０はカプセル６０の回りに飛散するとともに、胴体６１の中にもあって、不審者に向けて飛んでいく。その有効射程距離は１０ｍである。カプセル６０は不審者に当たれば更に多くの刺激物８０が飛散することになるし、仮に当たらなかったとしても、不審者の回りには多くの刺激物８０が飛散することになり、その刺激物８０によって不審者は視覚を奪われると共に呼吸困難になるなど、その行動は大きく規制されることになる。
【００２２】
なお、本発明は上記実施例に限定されるものではない。
【図面の簡単な説明】
【００２３】
【図１】本発明の一実施例による不審者行動規制装置の構造を示す正面図である。
【図２】本実施例による不審者行動規制装置の構造を示す左側面図である。
【図３】本実施例の不審者行動規制装置に用いるタイヤの構成を示す図である。
【図４】本実施例の不審者行動規制装置に用いるカプセルの構成を示す正面図である。
【符号の説明】
【００２４】
１０  銃把
１１  蓋部
１２  バネ
１３  カプセル送り部材
１４  回転軸
１５  ネジ
２０  カプセル発射機構
２１  底板
２２  天板
２３  下エントランス
２４  上エントランス
２５  タイヤ
２６  タイヤカバー
３０  カプセル押出機構
３１  引金
３２  ロッド
３３  磁石
３４  鉄片
３５  バネ
４０  電源
５０  タイヤ駆動部
５１  モータ
５２  モータホルダ
５３  回転軸
５４  電源コード
５５  基体
６０  カプセル
６１  胴体
６２  底部
６３  先頭部
７１  ホイール
７１ａ  穴
７２  内側弾性部材
７３  リング
７３ａ  穴
７４  中部弾性部材
７５  外側弾性部材
７６  上下弾性部材
８０  刺激物
【図１】
2006292200.tif 000003
【図２】
2006292200.tif 000004
【図３】
2006292200.tif 000005
【図４】
2006292200.tif 000006